(57)【要約】【課題】開封後に頂部の注ぎ口を容易にしっかりと閉じることができる包装容器を提供する。【解決手段】包装容器１であって、有底筒状の本体部１０と、本体部１０の上縁部に連設された切妻屋根型の頂部２０と、を備えている。頂部２０には、前後一対の傾斜板２１，２１と、左右一対の側板２２，２２と、傾斜板２１および側板２２に連設された前後一対のシール部３０，３０と、が形成されている。本体部１０の側壁１４の上部には、前後方向に延びている第一封止用罫線Ｌ１０が形成され、第一封止用罫線Ｌ１０の前後の端部は、側壁１４の上縁部の前後の端部に接続されている。第一封止用罫線Ｌ１０は、前後の端部から中央部に向かうに連れて下方に突出している。【選択図】図３
2019196191.tif 000002
【特許請求の範囲】
【請求項１】
有底筒状の本体部と、
前記本体部の上縁部に連設された切妻屋根型の頂部と、を備え、
前記頂部には、
前記本体部の前後の端壁に連設された前後一対の傾斜板と、
前記本体部の左右の側壁に連設され、内側に折り込まれた左右一対の側板と、
前記傾斜板の上縁部および前記側板の上縁部に連設された前後一対の帯状のシール部と、が形成されており、
前記側壁の上部には、前後方向に延びている封止用罫線が形成され、
前記封止用罫線の前後の端部は、前記側壁の上縁部の前後の端部に接続されており、
前記封止用罫線は、前後の端部から中央部に向かうに連れて下方に突出していることを特徴とする包装容器。
【請求項２】
有底筒状の本体部と、
前記本体部の上縁部に連設された切妻屋根型の頂部と、を備え、
前記頂部には、
前記本体部の前後の端壁に連設された前後一対の傾斜板と、
前記本体部の左右の側壁に連設され、内側に折り込まれた左右一対の側板と、
前記傾斜板の上縁部および前記側板の上縁部に連設された前後一対の帯状のシール部と、が形成されており、
前記側板および前記側壁には、上下方向に延びている封止用罫線が形成され、
前記封止用罫線は、前記側板および前記側壁の前後方向の中央部に形成されていることを特徴とする包装容器。
【請求項３】
有底筒状の本体部と、
前記本体部の上縁部に連設された切妻屋根型の頂部と、を備え、
前記頂部には、
前記本体部の前後の端壁に連設された前後一対の傾斜板と、
前記本体部の左右の側壁に連設され、内側に折り込まれた左右一対の側板と、
前記傾斜板の上縁部および前記側板の上縁部に連設された前後一対の帯状のシール部と、が形成されており、
前記傾斜板には、前記端壁の上縁部に沿って左右方向に延びている封止用罫線が形成されていることを特徴とする包装容器。
【発明の詳細な説明】
【技術分野】
【０００１】
本発明は、包装容器に関する。
【背景技術】
【０００２】
飲料を収容する包装容器としては、有底筒状の本体部と、本体部の上縁部に連設された切妻屋根型の頂部と、を備えているゲーブルトップ型の包装容器がある。切妻屋根型の頂部には、前後一対の傾斜板と、内側に折り込まれた左右一対の側板と、傾斜板および側板に連設された前後一対のシール部と、が形成されており、前後のシール部同士が貼り合わされている。
【０００３】
前記した包装容器では、両シール部の長手方向の端部を開くことで、頂部に注ぎ口を開口させる。また、開封後に注ぎ口をしっかりと閉じる場合には、両シール部をクリップによって挟み込んでいる（例えば、特許文献１参照）。
【先行技術文献】
【特許文献】
【０００４】
【特許文献１】特開平８−０１１８７５号公報
【発明の概要】
【発明が解決しようとする課題】
【０００５】
前記した従来の包装容器では、開封後に注ぎ口をしっかりと閉じるために、別体のクリップを用意しておく必要がある。
【０００６】
本発明は、前記した問題を解決し、開封後に頂部の注ぎ口を容易にしっかりと閉じることができる包装容器を提供することを課題とする。
【課題を解決するための手段】
【０００７】
前記課題を解決するため、第一の発明は、包装容器であって、有底筒状の本体部と、前記本体部の上縁部に連設された切妻屋根型の頂部と、を備えている。前記頂部には、前記本体部の前後の端壁に連設された前後一対の傾斜板と、前記本体部の左右の側壁に連設され、内側に折り込まれた左右一対の側板と、前記傾斜板の上縁部および前記側板の上縁部に連設された前後一対の帯状のシール部と、が形成されている。前記側壁の上部には、前後方向に延びている封止用罫線が形成されている。前記封止用罫線の前後の端部は、前記側壁の上縁部の前後の端部に接続されている。前記封止用罫線は、前後の端部から中央部に向かうに連れて下方に突出している。
【０００８】
前記課題を解決するため、第二の発明は、包装容器であって、有底筒状の本体部と、前記本体部の上縁部に連設された切妻屋根型の頂部と、を備えている。前記頂部には、前記本体部の前後の端壁に連設された前後一対の傾斜板と、前記本体部の左右の側壁に連設され、内側に折り込まれた左右一対の側板と、前記傾斜板の上縁部および前記側板の上縁部に連設された前後一対の帯状のシール部と、が形成されている。前記両側板は、前記頂部の内側に折り込まれている。前記側板および前記側壁には、上下方向に延びている封止用罫線が形成され、前記封止用罫線は、前記側板および前記側壁の前後方向の中央部に形成されている。
【０００９】
前記課題を解決するため、第三の発明は、包装容器であって、有底筒状の本体部と、前記本体部の上縁部に連設された切妻屋根型の頂部と、を備えている。前記頂部には、前記本体部の前後の端壁に連設された前後一対の傾斜板と、前記本体部の左右の側壁に連設され、内側に折り込まれた左右一対の側板と、前記傾斜板の上縁部および前記側板の上縁部に連設された前後一対の帯状のシール部と、が形成されている。前記両側板は、前記頂部の内側に折り込まれている。前記傾斜板には、前記端壁の上縁部に沿って左右方向に延びている封止用罫線が形成されている。
【００１０】
本発明の包装容器では、開封後に両シール部を閉じた状態で、両シール部を下方に押し下げて、前後の傾斜板を本体部の上端部に押し込むと、シール部同士が圧接される。このとき、頂部や本体部が封止用罫線において折れ曲がることで、前後の傾斜板を容易に押し込むことができるとともに、両傾斜板が元の位置に戻り難くなる。このように、本発明の包装容器では、開封後においてもシール部同士を圧接した状態に保つことができるため、別体のクリップを用いることなく、開封後に注ぎ口を容易にしっかりと閉じることができる。
【発明の効果】
【００１１】
本発明の包装容器では、開封後においてもシール部同士を圧接して、頂部の注ぎ口を容易にしっかりと閉じることができる。
【図面の簡単な説明】
【００１２】
【図１】本発明の実施形態に係る包装容器を示した斜視図である。
【図２】本発明の実施形態に係る包装容器を示した図で、頂部全体を開いた状態の斜視図である。
【図３】本発明の実施形態に係る包装容器を示した図で、両シール部を閉じた状態の斜視図である。
【図４】本発明の実施形態に係る包装容器の変形例を示した斜視図である。
【発明を実施するための形態】
【００１３】
本発明の実施形態について、適宜図面を参照しながら詳細に説明する。
本実施形態の包装容器１は、図１に示すように、飲料などの液体を収容するゲーブルトップ型の液体用容器である。
【００１４】
包装容器１は、有底筒状の本体部１０と、本体部１０の上縁部に連設された切妻屋根型の頂部２０と、を備えている。
包装容器１は、紙製の一枚のシートによって形成されている。包装容器１を構成するシートは、多層構造の紙基材の内面および外面にラミネート加工よって樹脂層を積層したものである。
【００１５】
本体部１０は、角筒形状の周壁部１１と、周壁部１１の底部を閉塞している底板１２と、を備えている。周壁部１１には、前後一対の端壁１３，１３と、左右一対の側壁１４，１４と、が形成されている。
【００１６】
頂部２０には、前後一対の傾斜板２１，２１と、左右一対の側板２２，２２と、傾斜板２１の上縁部および側板２２の上縁部に連設された前後一対のシール部３０，３０と、が形成されている。
【００１７】
前側の傾斜板２１は、図２に示すように、罫線Ｌ１を介して、前側の端壁１３の上縁部に連設されている。また、後側の傾斜板２１は、罫線Ｌ１を介して、後側の端壁１３の上縁部に連設されている。
右側の側板２２は、罫線Ｌ２を介して、右側の側壁１４の上縁部に連設されている。また、左側の側板２２は、罫線Ｌ２を介して、左側の側壁１４の上縁部に連設されている。
【００１８】
前側の傾斜板２１は、図１に示すように、前側の端壁１３の上縁部から後斜め上方に向けて立ち上げられている平板である。後側の傾斜板２１は、後側の端壁１３の上縁部から前斜め上方に向けて立ち上げられている平板である。前後の傾斜板２１，２１の上縁部同士は、頂部２０の前後方向の中間部で接している。また、左右の側板２２，２２は、頂部２０の内側に折り込まれている。このようにして、頂部２０は、切妻屋根型に形成されている。
【００１９】
頂部２０の上端部には、前後一対の帯状のシール部３０，３０が設けられている。シール部３０は、図２に示すように、傾斜板２１の上縁部および側板２２の上縁部に連設されている。
前側のシール部３０は、前側の傾斜板２１と、左右の側板２２，２２の前半分と、に連設されている。後側のシール部３０は、後側の傾斜板２１と、左右の側板２２，２２の後半分と、に連設されている。
図１に示すように、前後のシール部３０，３０同士を貼り合わせることで、頂部２０の上端部を密閉することができる。
【００２０】
本実施形態の包装容器１では、前後のシール部３０，３０の一端の接合力を低下させることで、両シール部３０，３０の一端に開封部が設定されている。
包装容器１を開封するときには、前後のシール部３０，３０の一端を前後方向に開いて、側板２２を頂部２０の外側に折り返すことで、頂部２０の上部に注ぎ口を開口させることができる。
【００２１】
本実施形態の包装容器１では、側壁１４に第一封止用罫線Ｌ１０が形成され、側板２２および側壁１４に第二封止用罫線Ｌ２０が形成され、傾斜板２１に第三封止用罫線Ｌ３０が形成されている。
包装容器１の各罫線は、包装容器１のシートの外面を押し込んで形成された線状の溝（押罫）である。本実施形態では、罫線の深さが０．０５ｍｍ〜０．２ｍｍの間に設定されている。
【００２２】
本実施形態の包装容器１では、図２に示すように、左右の側壁１４，１４にそれぞれ第一封止用罫線Ｌ１０，Ｌ１０が形成されている。また、左右の側板２２，２２および左右の側壁１４，１４にそれぞれ第二封止用罫線Ｌ２０，Ｌ２０が形成されている。また、前後の傾斜板３１，３１にそれぞれ第三封止用罫線Ｌ３０，Ｌ３０が形成されている。
【００２３】
第一封止用罫線Ｌ１０は、側壁１４の上部に形成されている。第一封止用罫線Ｌ１０は、前後方向に延びている。第一封止用罫線Ｌ１０の前後の端部は、側壁１４の上縁部（罫線Ｌ２）の前後の端部（本体部１０の上側の角部）に接続されている。
第一封止用罫線Ｌ１０は、前後の端部から中央部に向かうに連れて下方に突出している。本実施形態の第一封止用罫線Ｌ１０は、前後方向の中央部において屈曲したＶ形状に形成されている。
側壁１４の上縁部（罫線Ｌ２）と第一封止用罫線Ｌ１０との上下方向の間隔（高さ）は、前後方向の中央部に向かうに連れて大きくなっている。
【００２４】
本実施形態では、側壁１４の上縁部に対する第一封止用罫線Ｌ１０の傾斜角度αが４５度以下に設定されている。これにより、側壁１４の上縁部と第一封止用罫線Ｌ１０との上下方向の最大の間隔（高さ）は、側壁１４の上縁部の左右方向の長さの半分の大きさ以下となる。
なお、側壁１４の上縁部に対する第一封止用罫線Ｌ１０の傾斜角度は、１０度〜３０度の間に設定することが好ましい。
【００２５】
側壁１４の上部には、上縁部（罫線Ｌ２）と、第一封止用罫線Ｌ１０とによって囲まれた折り込み片１４ａが形成されている。折り込み片１４ａは、頂点が底辺よりも下側に配置された三角形に形成されている。
【００２６】
第二封止用罫線Ｌ２０は、側板２２および側壁１４の前後方向の中央部に形成されている。第二封止用罫線Ｌ２０は、側壁１４の上縁部（罫線Ｌ２）に直交して上下方向に延びている。第二封止用罫線Ｌ２０は、側板２２の上縁部から下縁部に亘って形成されるとともに、側板２２から罫線Ｌ２を越えて側壁１４の上部に形成されている。
第二封止用罫線Ｌ２０の下端部は、第一封止用罫線Ｌ１０の屈曲点を通って、第一封止用罫線Ｌ１０よりも下方に突出している。また、第二封止用罫線Ｌ２０は、シール部３０にも形成されている。
【００２７】
第三封止用罫線Ｌ３０は、傾斜板２１の上部に形成されている。第三封止用罫線Ｌ３０は、端壁１３および傾斜板２１の上縁部に沿って左右方向に延びている。第三封止用罫線Ｌ３０と、端壁１３および傾斜板２１の上縁部とは一定の間隔を空けて平行している。第三封止用罫線Ｌ３０は、傾斜板２１の左縁部から右縁部に亘って形成されている。
【００２８】
本実施形態の包装容器１において、開封後に両シール部３０，３０を閉じるときは、図１に示すように、両シール部３０，３０を重ね合わせる。
さらに、図３に示すように、両シール部３０，３０を下方に押し下げると、傾斜板２１のシール部３０側の端部が側壁１４の上縁部よりも下方に移動し、傾斜板２１は端壁１３の上縁部に対して下方に向けて傾斜する。つまり、傾斜板２１は、端壁１３から先端側に向かうに連れて斜め下方に向けて傾斜する。
【００２９】
これにより、前後の傾斜板２１，２１は本体部１０の上端部に押し込まれる。各傾斜板２１の上下方向の長さは、本体部１０の前後方向の長さの半分よりも長いため、両傾斜板２１，２１を下方に移動させると、両傾斜板２１，２１が前後方向に押し付け合うことになる。これにより、前後の傾斜板２１，２１に連設されたシール部３０，３０同士が圧接される。
【００３０】
また、両シール部３０，３０を下方に押し下げると、側壁１４の上部の折り込み片１４ａは側壁１４に対して第一封止用罫線Ｌ１０から内側に折れ曲がる。
また、折り込み片１４ａおよび側板２２は、第二封止用罫線Ｌ２０において谷折りに折り曲げられ、本体部１０の内側に窪んだ状態となる。
また、側壁１４において、第一封止用罫線Ｌ１０よりも下側の部位は、第二封止用罫線Ｌ２０において山折りに折り曲げられ、側壁１４が外側に膨らんだ状態となる。
また、傾斜板２１は、第三封止用罫線Ｌ３０において谷折りに折り曲げられ、本体部１０の内側に窪んだ状態となる。
【００３１】
このように、頂部２０や本体部１０が各封止用罫線Ｌ１０，Ｌ２０，Ｌ３０において折れ曲がることで、前後の傾斜板２１，２１を本体部１０に対して容易に押し込むことができる。また、両傾斜板２１，２１が本体部１０の内部から元の位置に戻り難くなる。
【００３２】
以上のような本実施形態の包装容器１では、開封後にシール部３０，３０同士を圧接した状態に保つことができるため、別体のクリップを用いることなく、開封後に頂部２０の注ぎ口を容易にしっかりと閉じることができる。
【００３３】
以上、本発明の実施形態について説明したが、本発明は前記実施形態に限定されることなく、その趣旨を逸脱しない範囲で適宜に変更が可能である。
本実施形態の包装容器１では、図１に示すように、第一封止用罫線Ｌ１０、第二封止用罫線Ｌ２０、第三封止用罫線Ｌ３０の三本の封止用罫線が形成されているが、三本の封止用罫線のうち、いずれか一本または二本のみを形成してもよい。
【００３４】
本実施形態の包装容器１では、第一封止用罫線Ｌ１０が前後方向の中央部において屈曲しているが、図４に示すように、第一封止用罫線Ｌ１０全体を下方に向けて円弧状に湾曲させてもよい。
【００３５】
本実施形態の包装容器１は、液体を収容する容器であるが、本発明の包装容器に収容される内容物は限定されるものではなく、例えば、粒状や粉状の内容物を収容する包装容器に本発明を適用してもよい。
【符号の説明】
【００３６】
１      包装容器
１０    本体部
１１    周壁部
１２    底板
１３    端壁
１４    側壁
１４ａ  折り込み片
２０    頂部
２１    傾斜板
２２    側板
３０    シール部
３１    傾斜板
Ｌ１０  第一封止用罫線
Ｌ２０  第二封止用罫線
Ｌ３０  第三封止用罫線
【図１】
2019196191.tif 000003
【図２】
2019196191.tif 000004
【図３】
2019196191.tif 000005
【図４】
2019196191.tif 000006